(57)【特許請求の範囲】
【請求項１】
空気調和機本体の側面が着脱可能なパネル部材で構成される空気調和機であって、
前記空気調和機本体は支持部を備え、
前記パネル部材は、前記空気調和機本体の支持部によって支持される被支持部を一端側に備え、
前記空気調和機本体の支持部は、前記パネル部材を前記空気調和機本体から他端側を傾斜させた第１位置で、前記被支持部を取外可能に支持し、前記パネル部材を前記第１位置から前記空気調和機本体の側面に沿った第２位置まで回動させた後、前記側面に沿ってスライド移動させた第３位置で、前記パネル部材を前記空気調和機本体から回動不能に支持し、
前記空気調和機本体の支持部又は前記パネル部材の被支持部のいずれか一方は、突出部を備え、残る他方は突出部がスライド及び取外可能な傾斜したガイド溝を備え、
前記突出部は円筒状であり、
前記ガイド溝は、前記突出部の挿入方向の終端位置に、前記突出部が回転可能となる円弧面と、前記円弧面に続く切欠きを備え、
前記突出部は、前記ガイド溝から前記切欠きを通過して移動可能であり、
前記空気調和機本体の支持部又は前記パネル部材の被支持部の少なくともいずれか一方はガイド部を備え、残る他方は前記切欠きを通過後に前記ガイド部をガイドすることにより、前記パネル部材を前記空気調和機本体の側面に沿ってスライド可能とするガイド受部を備えることを特徴とする空気調和機。
【請求項２】
空気調和機本体の側面が着脱可能なパネル部材で構成される空気調和機であって、
前記空気調和機本体は支持部を備え、
前記パネル部材は、前記空気調和機本体の支持部によって支持される被支持部を一端側に備え、
前記空気調和機本体の支持部は、前記パネル部材を前記空気調和機本体から他端側を傾斜させた第１位置で、前記被支持部を取外可能に支持し、前記パネル部材を前記第１位置から前記空気調和機本体の側面に沿った第２位置まで回動させた後、前記側面に沿ってスライド移動させた第３位置で、前記パネル部材を前記空気調和機本体から回動不能に支持し、
前記パネル部材の被支持部は、背面から突出させたガイド壁に形成され、前記パネル部材の背面に対してスライド移動する方向に沿って平行に延びるガイド受部と、該ガイド受部とは反対方向に突出する円筒状のパネル側ガイド凸部と、を備え、
前記空気調和機本体の支持部は、前記第１位置で前記パネル側ガイド凸部をスライド及び回転可能に支持するガイド溝と、前記第２位置と前記第３位置の間で、前記空気調和機本体から離れる方向への移動を阻止しながら前記ガイド受部をスライド移動可能にガイドする本体側ガイド凸部と、を備えることを特徴とする空気調和機。
【請求項３】
前記空気調和機本体の側面は上パネルと下パネルとで構成され、
前記パネル部材は前記上パネルで構成され、前記下パネルとの間に吸込口を形成し、
前記下パネルは前記支持部を備えることを特徴とする請求項１又は請求項２に記載の空気調和機。
【発明の詳細な説明】
【技術分野】
【０００１】
本発明は、除湿機、衣類乾燥機、送風機、空気清浄機等の空気調和機に関するものである。
【背景技術】
【０００２】
従来、空気調和機として、前ケースの上端面に形成した穴部に前面カバーのフランジ部に設けたフックを係脱することにより、本体に対して前面カバーを着脱できるようにしたものが公知である（例えば、特許文献１参照）。
【０００３】
また他の空気調和機として、本体ケースに対して軸部を中心として回動可能に前面化粧板を設け、軸部を回動手段によって回転させることにより、前面化粧板を本体ケースに保持した空気清浄フィルターとの距離を変えながら上下に移動させるようにしたものが公知である（例えば、特許文献２参照）。
【０００４】
しかしながら、前者の空気調和機では、穴部にフックを係合しただけであるので、外力が作用する等により前ケースが簡単に外れてしまうという問題がある。
【０００５】
一方、後者の空気調和機では、前面化粧板がその軸部を磁力によって回動手段に支持されているだけであり、やはり外力が作用する等により前面化粧板が外れてしまうという問題がある。
【先行技術文献】
【特許文献】
【０００６】
【特許文献１】特開２００２−１０３１号公報
【特許文献２】特開２０１１−１７４９２号公報
【発明の概要】
【発明が解決しようとする課題】
【０００７】
本発明は、装着容易で、外れにくいフロントパネルを備えた空気調和機を提供することを課題とする。
【課題を解決するための手段】
【０００８】
本発明は、前記課題を解決するための手段として、
空気調和機本体の側面が着脱可能なパネル部材で構成される空気調和機であって、
前記空気調和機本体は支持部を備え、
前記パネル部材は、前記空気調和機本体の支持部によって支持される被支持部を一端側に備え、
前記空気調和機本体の支持部は、前記パネル部材を前記空気調和機本体から他端側を傾斜させた第１位置で、前記被支持部を取外可能に支持し、前記パネル部材を前記第１位置から前記空気調和機本体の側面に沿った第２位置まで回動させた後、前記側面に沿ってスライド移動させた第３位置で、前記パネル部材を前記空気調和機本体から回動不能に支持することを特徴とする空気調和機を提供する。
なお、前記空気調和機本体の側面とは、載置面である底面以外のいずれかの面の意であり、空気調和機本体が円筒状であれば、その外周面の一部となる。
【０００９】
この構成により、空気調和機本体に対するパネル部材の装着は、パネル部材を傾斜させた第１位置に配置し、第２位置に回動させ、第３位置にスライド移動させるだけで簡単に行うことができる。そして、パネル部材は空気調和機本体に装着された第３位置では回動不能であり、パネル部材を空気調和機本体から取り外すためには、一旦、第２位置までスライド移動させなければならないため、外力が作用しても外れにくい。
【００１０】
前記空気調和機本体の支持部又は前記パネル部材の被支持部のいずれか一方は、突出部を備え、残る他方は突出部がスライド及び取外可能な傾斜したガイド溝を備えるのが好ましい。
【００１１】
この構成により、ガイド溝で突出部をスライド移動させることにより空気調和機本体に対してフロントパネルを着脱することができる。フロントパネルを斜め方向に移動させることで、着脱作業を容易に行うことができる。
【００１２】
前記突出部は円筒状であり、
前記ガイド溝は、前記突出部の挿入方向の終端位置に、前記突出部が回転可能となる円弧面を備えるのが好ましい。
【００１３】
この構成により、突出部をガイド溝の挿入方向の終端位置までスライド移動させ、円弧面に沿って回転させるだけで、パネル部材を第１位置から第２位置へと移動させることができる。このため、空気調和機本体に対するパネル部材の装着作業の前半動作を容易に行うことができる。
【００１４】
前記ガイド溝は、前記円弧面に続く切欠きを備え、
前記突出部は、前記ガイド溝から前記切欠きを通過して移動可能であり、
前記空気調和機本体の支持部又は前記パネル部材の被支持部の少なくともいずれか一方はガイド部を備え、残る他方は前記切欠きを追加後に前記ガイド部をガイドすることにより、前記フロントパネルを前記空気調和機本体の側面に沿ってスライド可能とするガイド受部を備えるのが好ましい。
【００１５】
この構成により、パネル部材を第２位置に移動させた状態で、突出部をガイド溝から切欠きを通過させると、ガイド部がガイド受部によってガイドされることにより、パネル部材を空気調和機本体の側面に沿って確実に平行移動させることができる。このため、空気調和機本体に対するパネル部材の装着作業の後半動作を容易に行うことができる。
【００１６】
前記パネル部材の被支持部は、背面から突出させたガイド壁に形成され、前記パネル部材の背面に対してスライド移動する方向に沿って平行に延びるガイド受部と、該ガイド受部とは反対方向に突出する円筒状のパネル側ガイド凸部と、を備え、
前記空気調和機本体の支持部は、前記第１位置で前記パネル側ガイド凸部をスライド及び回転可能に支持するガイド溝と、前記第２位置と前記第３位置の間で、前記空気調和機本体から離れる方向への移動を阻止しながら前記ガイド受部をスライド移動可能にガイドする本体側ガイド凸部と、を備えるのが好ましい。
【００１７】
この構成により、空気調和機本体に対してパネル部材を第１位置へと配置する場合、ガイド溝にてガイド受部をガイドすることができる。そして、パネル部材を第２位置へと回動させる場合、ガイド溝にてパネル側ガイド凸部を回転可能に支持することができる。さらに、パネル部材を第３位置へと移動させる場合、ガイド受部を本体側ガイド凸部でガイドして空気調和機本体から離れる方向への移動を阻止しながらパネル部材をスライドさせることができる。
【００１８】
前記空気調和機本体の側面は上パネルと下パネルとで構成され、
前記パネル部材は前記上パネルで構成され、前記下パネルとの間に吸込口を形成し、
前記下パネルは前記支持部を備えるのが好ましい。
【００１９】
この構成により、空気調和機本体の側面に吸込口を設けて効果的な空気の吸込を実現することができる。また、空気調和機本体に対して下パネルを装着した後でなければ、上パネルを装着することができないので、不完全な装着状態で運転が開始されることを防止することが可能となる。
【００２０】
前記下パネルは、前記空気調和機本体から取り外し可能であり、
前記空気調和機本体から上パネル及び下パネルを取り外した状態で、空気調和機本体に保持したフィルタを取外可能であるのが好ましい。
【００２１】
この構成により、側面側からフィルタの交換を行うことができ、交換作業が容易となる。
【００２２】
前記空気調和機本体は、前記パネルを側面に沿ってスライド可能に支持する支持部材と、該支持部材をスライド移動させる駆動部材と、を備えるのが好ましい。
【００２３】
この構成により、吸込口の開口面積を駆動部材の駆動により変更することができ、状況に応じて吸込口から吸い込む空気量を変更することが可能となる。
【００２４】
前記パネル部材は係合部を備え、
前記支持部材は、前記係合部が係脱される係合受部を備え、
前記係合部と前記係合受部とは、前記パネル部材を第２位置から第３位置に向かってスライドさせることにより係合可能であるのが好ましい。
【発明の効果】
【００２５】
本発明によれば、空気調和機本体に対してパネル部材を着脱する場合、パネル部材を傾斜させた第１位置で簡単に行うことができる。また装着位置は、パネル部材を第１位置から第２位置に回動させ、さらに第３位置にスライド移動させた第３位置となるので、使用状態において外れにくくすることができる。
【図面の簡単な説明】
【００２６】
【図１】本実施形態に係る空気調和機の斜視図である。
【図２】図１の側面断面図である。
【図３】図１の分解斜視図である。
【図４Ａ】図１からフィルタケースを除去し、上パネルを取り外して背面側を露出させた状態を示す斜視図である。
【図４Ｂ】図４Ａの部分拡大図である。
【図５】図１に示す状態から上フィルタを全開させた状態を示す斜視図である。
【図６】図１の下パネルの斜視図である。
【図７】図６の部分拡大図である。
【図８】図１の上パネルの一部を破断した部分拡大図である。
【図９】図１に示す上パネルを全閉位置に位置させた状態での部分断面図である。
【図１０】図９から上パネルが上方に移動している状態を示す部分断面図である。
【図１１】図１０から上パネルが前方側に回動している状態を示す部分断面図である。
【図１２】図１１から上パネルが前方側に外れた状態を示す部分断面図である。
【発明を実施するための形態】
【００２７】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。
【００２８】
図１は、本実施形態に係る空気調和機の一例である空気清浄機を示す。図２及び図３に示すように、空気清浄機は、空気清浄機本体１と、空気清浄部２と、送風部３と、制御部４とを備える。
【００２９】
空気清浄機本体１は、フィルタケース５、リアケース６、トップカバー７及び前面パネルを備え、パネル部材の一例である前面パネルが上パネル８及び下パネル９で構成されている。
【００３０】
フィルタケース５には、前面側収容部１０に空気清浄部２が保持され、背面側に送風部３が配置されている。前面側収容部１０と背面側とを仕切る仕切壁１１には連通口１２が形成されている。連通口１２は、放射状及び円周状に延びるリブによって複数の開口が形成されたものである。そして、連通口１２を介して空気清浄部２を通過した空気が、背面側の送風部３内へと流入するようになっている。
【００３１】
前面側収容部１０を構成する底壁１３の中央部には第１凹部１４が形成されている。この第１凹部１４は、空気清浄部２の着脱時に指を挿入するためのスペースを確保する。底壁１３の両端部上面には係止凹部１５がそれぞれ形成されている。
【００３２】
前面側収容部１０を構成する両側壁１６には第２凹部１７がそれぞれ形成されている。これら第２凹部１７は、後述するように、上パネル８との間に第３吸込口５４を形成すると共に、上パネル８の着脱時に指を挿入するためのスペースを確保する。
【００３３】
図４Ａに示すように、前記両側壁１６の上部には支持ブロック１８がそれぞれ昇降可能に配置されている。各支持ブロック１８は略直方体形状で、背面にはラック１９が形成されている。ラック１９には、昇降用モータ２０の回転軸に固定したピニオン２１が噛合している。図４Ｂに示すように、支持ブロック１８には、前面下部に係合受部１８ａが形成されている。係合受部１８ａは、両側面に弾性舌片１８ｂを備え、弾性舌片１８ｂの先端部分には係合突部１８ｃが形成されている。そして、係合受部１８ａを利用して支持ブロック１８には、後述するように、上パネル８にネジ止めした昇降バー２２が支持されるようになっている。前記両側壁１６からは前方に向かって係止フック２４（図３参照）がそれぞれ突出している。各係止フック２４は、後述する下パネル９に係止される。
【００３４】
図１及び図２に示すように、リアケース６はフィルタケース５の背面に装着され、そこに配置された送風部３を覆う。トップカバー７は、フィルタケース５及びリアケース６の上面に装着され、その上面には送風部３からの空気を排出する格子状の空気排出口２５が形成されている。またトップカバー７の上面には操作パネル２６が設けられている。操作パネル２６は各種操作ボタンや表示ランプ等で構成されている。操作ボタンを操作すると、操作信号が制御部４に入力され、回転用モータ６１や昇降用モータ２０（図４参照）が駆動制御される。
【００３５】
図６に示すように、下パネル９は上方壁２７と下方壁２８とで構成されている。
上方壁２７は、その前面が下方壁２８の前面よりも背面側に位置し、そこには後述する上パネル８が昇降可能となっている。また上方壁２７には開口部２８ａが形成されている。開口部２８ａは、幅方向に延びる横長の開口である。開口部２８ａは、前記連通口１２すなわち空気吸込領域の投影面内に位置している。開口部２８ａを構成する上縁部及び下縁部は共に前方に向かって斜め下方に延びている。これにより、上方壁２７を前方から見ると、開口部２８ａは目視できないが、上方壁２７の背面から前面に向かって斜め下方に延びる、開口部２８ａに連なる湾曲面２７ａと、その上方側の湾曲面２７ｂとが形成される。湾曲面２７ａ及び２７ｂの先端部分は、後述するように取り付けた上パネル８の背面近傍に位置している。
【００３６】
図７も併せて参照すると、上方壁２７の両端上方部には、上方に向かって突出するガイド面部３０が設けられている。ガイド面部３０の前面には上下に延びる複数の突条部３１が形成されている。ガイド面部３０の角部にはネジ止め孔３２が形成され、その近傍内面にはガイド溝３３が形成されている。ガイド溝３３の両側は第１側面３４と第２側面３５とで構成されている。第１側面３４は、上端位置から下方に延びる第１垂直面３６と、斜め下方に向かう傾斜面３７と、これに続く円弧面３８と、再び下方に向かう第２垂直面３９とからなる。第２側面３５は、第１側面３４と平行に形成された突条である。これにより、第１側面３４と第２側面３５の上方部分には第１側面３４と第２側面３５を構成する突条の上端位置とで広い開口が形成され、第１側面３４と第２側面３５の下方部分には、円弧面３８に続く切欠き３８ａ（図７及び図１２参照）が形成されることになる。また、ガイド面部３０から独立した、ネジ止め孔４０ａを有するボス部４０が形成されている。各ネジ止め孔３２により下パネル９に対して後述するホルダ４２をネジ止めできるようになっている。
【００３７】
上方壁２７の両端上方部にはロック片４１と、このロック片４１を保持するためのホルダ４２とが装着されている。
【００３８】
ロック片４１は、平面部４３と、その前面中央部から突出するツマミ部４４と、背面側のブロック部４５とで構成されている。ブロック部４５の上下面には凹部がそれぞれ形成されている。上方側凹部４６はフィルタケース５の係止フック２４に係止される。下方側凹部（図示せず）の底面には突起が形成され、上方壁２７の突起２７ａとの間にスプリング４７が配置される。これにより、ロック片４１は上方に付勢される。
【００３９】
ホルダ４２は、上方壁２７の両端上方部にそれぞれネジ止めされる一対のもので、前面にはロック片４１のツマミ部４４が露出する開口部４８が形成されている。開口部４８の近傍側部には、所定間隔で第１ガイド部４９と第２ガイド部５０とが設けられている。第１ガイド部４９と第２ガイド部５０の先端部分は半円状である。第２ガイド部５０の先端部には、第１ガイド部４９とは反対側の面から本体側ガイド凸部５１が突出している。本体側ガイド凸部５１は、後述する上パネル８が昇降する際に、そのガイド受部５７をガイドする。
【００４０】
下方壁２８は、その両端が背面側に向かって徐々に湾曲する横断面形状を有し、空気清浄機の前面下方部を構成している。下方壁２８の下面両端部には下方に向かって突出する係止凸部５２がそれぞれ形成されている。これら係止凸部５２は、前記フィルタケース５の係止凹部１５にそれぞれ係止される。
【００４１】
前記構成の下パネル９は、下端部の係止凸部５２をフィルタケース５の係止凹部１５に係止させた状態で、上端部をフィルタケース５に接近させると、フィルタケース５の係止フック２４がロック片４１の上方側凹部４６に係止され、フィルタケース５に対して取り付けることができるようになっている。下パネル９は、フィルタケース５に取り付けられた状態で、フィルタケース５との間に第２吸込口５３を形成し、第２凹部１７との間に第３吸込口５４を形成する。
【００４２】
上パネル８は、本発明に係るスライド部材の一例であり、下パネル９の下方壁２８と同様な横断面形状に形成され、両側部が湾曲して背面側へと延びている。図４に戻って、上パネル８の背面上方側には昇降バー２２がネジ止めされている。昇降バー２２は上パネル８の幅方向に延び、その両端部には係合部５５が形成されている。係合部５５は、対向する一対の側壁５５ａを有し、これら側壁５５ａは下方側が互いに離れるように広がっている。側壁５５ａの上方側の対向位置には係合孔５５ｂが形成され、そこには前記空気清浄機本体１側の支持ブロック１８に形成した係合突部１８ｃが係脱する。上パネル８の背面下方側には、幅方向に所定間隔で、下端から上方に向かって延びるガイド壁５６がそれぞれ形成されている。
【００４３】
図８も併せて参照すると、各ガイド壁５６は、下端部を除く外縁部に、他方のガイド壁５６とは反対面に突条のガイド受部５７が形成されている。ガイド受部５７は、上パネル８の背面に対して、上端から下方に向かって平行に延び、下方側で徐々に離れ、下端部では再び平行となっている。ガイド受部５７は、その内縁側を下パネル９の本体側ガイド凸部５１によってガイドされる。これにより、昇降用モータ２０を正逆回転駆動すると、空気清浄機の前面の一部を構成する上パネル８は、上方側を支持された支持ブロック１８と共に空気清浄機の前面に沿って昇降し、前方側には移動することがない。上パネル８の下端と下パネル９の下方壁２８の上端との間には第１吸込口２９が形成され、上パネル８の昇降位置によって第１吸込口２９の開度が調整される。上パネル８は、最下位置で、湾曲面２７ａのみが露出し、開口部２８ａから吸引可能な状態となる。また上パネル８は、最上位置で、湾曲面２７ａ及びその上方側の湾曲面２７ｂが露出し、開口部２８ａのみならず、湾曲面２７ｂの上方側の空間からも吸引可能となる。但し、上パネル８の移動は、空気清浄機本体１の前面領域の範囲内である。つまり、上パネル８が空気清浄機本体１からはみ出すことがなく、人が接触する等によって損傷する等の不具合は発生しない。また各ガイド壁５６の下端部には、他方のガイド壁５６との対向面にパネル側ガイド凸部５８が形成されている。パネル側ガイド凸部５８は、下パネル９のガイド溝３３にガイドされる。
【００４４】
図３に示すように、空気清浄部２は、前記フィルタケース５の前面側収容部１０内で、前方側に配置される第１フィルタ５９と、後方側に配置される第２フィルタ６０とで構成されている。ここでは、第１フィルタ５９には空気中の粉塵を収集する集塵フィルタが採用され、第２フィルタ６０にはアセトアルデヒド、酢酸等を脱出する脱臭フィルタが採用されている。
【００４５】
図２に示すように、送風部３は、回転用モータ６１により回転駆動するシロッコファン６２を螺旋状の空気通路を有するケーシング６３内に収容したものである。このケーシング６３は、前記フィルタケース５の仕切壁１１の背面に固定されて、シロッコファン６２の回転により、その中心部分に吸い込まれて外周側へと流動する空気をトップカバー７の空気排出口２５へと導く。
【００４６】
制御部４（図２参照）は、操作パネル２６での各種操作ボタンの操作信号や図示しないセンサ（臭いセンサ等）での検出信号に基づいて、回転用モータ６１や昇降用モータ２０を駆動制御する。
【００４７】
続いて、前記構成からなる空気清浄機の動作について説明する。
前記空気清浄機では、操作ボタンの操作により駆動を開始し、センサでの検出信号に基づいて回転用モータ６１の回転数を制御する。回転用モータ６１の回転数は、操作ボタンによって選択される運転モードや、センサで検出される周囲雰囲気の汚れ具合に応じて自動的に変更される。例えば、運転モードに「強」が選択されている場合や、周囲雰囲気の汚れ具合がある閾値（最大汚れを示す値）を超えている場合には、回転用モータ６１の回転数が最大値とされる。
【００４８】
また、選択された回転用モータ６１の回転数に応じて昇降用モータ２０によって昇降させる上パネル８の位置が決定される。ここでは、回転用モータ６１の回転数の大小に応じて、昇降用モータ２０を駆動して上パネル８を上下方向へと移動させ、開口部２８ａの開度を調整している。詳しくは、昇降用モータ２０を駆動してその回転軸を正逆回転させると、そこに固定したピニオン２１がラック１９との噛合位置を変化させる。これにより、ラック１９を形成された支持ブロック１８が昇降し、支持ブロック１８に取り付けた昇降バー２２と共に上パネル８も上下方向へと移動する。上パネル８は、その係合部５５を昇降バー２２の係合孔２３に係合させている。そして、上パネル８のガイド受部５７は、その内縁側を下パネル９の本体側ガイド凸部５１によってガイドされている。したがって、上パネル８が、空気清浄機の前面から前方へと突出することなく上下方向に移動し、第１吸込口２９の開度を変更する。
【００４９】
次いで、前記構成からなる空気清浄機の上パネル８、下パネル９及び空気清浄部２を着脱する場合について説明する。
空気清浄機本体１から上パネル８を取り外す場合、図９に示す状態から、手動により、上パネル８を図１０に示す最上位置まで移動させると、上パネル８の係合部５５に形成した係合孔５５ｂがフィルタケース５の支持ブロック１８の係合受部１８ａに形成した係合突部１８ｃから脱落する。そして、上パネル８の上方側を手前に引き出すことにより、図１１から図１２に示すようにして上パネル８を取り外すことができる。
【００５０】
また空気清浄機本体１から下パネル９を取り外す場合、ロック片４１のツマミ部４４をスプリング４７の付勢力に抗して押し下げることにより、上方側凹部４６をフィルタケース５の係止フック２４から脱落させる。そしてその脱落状態を維持しながら、下パネル９の上方側を手前に引っ張り、持ち上げることにより、下面両端部の係止凸部５２をフィルタケース５の係止凹部１５から脱落させ、フィルタケース５から下パネル９を取り外すことができる。
【００５１】
このようにして、フィルタケース５から上パネル８と下パネル９を取り外すことにより、フィルタケース５の前面側は完全に開放された状態となる。そこで、フィルタケース５から第１フィルタ５９及び第２フィルタ６０（いずれか一方のみでもよい）を取り外して簡単に交換又は清掃することができる。
【００５２】
第１フィルタ５９及び第２フィルタ６０（いずれか一方のみでもよい）の交換又は清掃が完了すれば、フィルタケース５に下パネル９を取り付ける。下パネル９の取付作業では、その下面両端部の係止凸部５２をフィルタケース５の係止凹部１５に係止させた状態で、フィルタケース５に対して上方側を押し込めばよい。これにより、ロック片４１の上方側凹部４６にフィルタケース５の係止フック２４が係止され、フィルタケース５に対する下パネル９の取付作業が完了する。この場合、前述の通り、上パネル８は下パネル９によって支持されるように構成されているので、フィルタケース５に対して下パネル９を取り付ける前に上パネル８を取り付けることはできない。
【００５３】
続いて、下パネル９に対して上パネル８を取り付ける。まず、上パネル８を傾斜させた状態で、図１２に示すように、そのパネル側ガイド凸部５８を下パネル９のガイド溝３３に挿入する。この作業は、上パネル８を傾斜させた状態でガイド溝３３を目視しながら行うことができる。しかも、ガイド溝３３の入口部分は広い開口で構成されている。したがって、パネル側ガイド凸部５８を容易にガイド溝３３へと挿入することができる。
【００５４】
次いで、図１１に示すように、上パネル８のガイド受部５７を下パネル９の第２ガイド部５０に沿ってスライドさせる。上パネル８は、パネル側ガイド凸部５８がガイド溝３３の終端部分を構成する円弧面３８に当接することにより、下パネル９に対して傾斜状態に位置決めされる。この状態で、上パネル８をパネル側ガイド凸部５８を中心として回動させ、次いでパネル側ガイド凸部５８を切欠き３８ａを通過させて第２垂直面３９に沿って下方側へと移動させる。このとき、上パネル８のガイド受部５７に下パネル９のホルダ４２に形成した本体側ガイド凸部５１が摺接する。
【００５５】
このように、上パネル８は、その第２ガイド突部を下パネル９のガイド溝３３に沿って移動させなければ、取り付けることができない構成となっている。つまり、空気清浄機本体１に対して下パネル９が取り付けられていない場合、上パネル８を装着することはできなくなっており、下パネル９の装着忘れを防止することが可能である。
【００５６】
最後に、上パネル８の昇降バー２２に形成した係合孔５５ｂに下パネル９に形成した係合突部１８ｃ係合することにより、上パネル８の取付作業が完了する。この状態では、上パネル８は、本体側ガイド凸部５１によってガイド受部５７を支持されており、外力が作用したとしても前方側に倒れて脱落しにくい状態となっている。そして、昇降用モータ２０を駆動することにより、昇降バー２２を昇降させることにより上パネル８をガイド受部５７がガイド凸部５１に沿うことにより昇降させることができる。上パネル８を最下位置に移動させれば、第１吸込口２９が開口部２８ａに連なる部分のみが開口した状態となり、最上位置に移動させれば、開口部２８ａのみならず、湾曲面２８ｂに連なる下パネル９の上方壁２７よりも上方側の空間にも開口した状態となる。
【００５７】
なお、本発明は、前記実施形態に記載された構成に限定されるものではなく、種々の変更が可能である。
【００５８】
前記実施形態では、前面パネルを上パネル８と下パネル９で構成するようにしたが、１枚のみ、あるいは、３枚以上のパネルで構成することも可能である。また上パネル８を昇降動作させるように構成したが、水平動作（横方向に移動）させたり、前面が傾斜していれば、その傾斜方向に沿って斜めに移動させたりする構成とすることも可能である。水平動作させる場合、左右２枚のパネルを接離するように構成するのが好ましい。
【００５９】
前記実施形態では、回転用モータ６１の回転数の大小に応じて、昇降用モータ２０を駆動して上パネル８を上下方向へと移動させることにより第１吸込口２９の開度を調整するようにしたが、回転数を一定としたままで第１吸込口２９の開度を調整するようにしてもよい。
【００６０】
前記実施形態では、上パネル８を最下位置に移動させた状態で、第１吸込口２９の開度を開口部２８ａのみに連なる状態としたが、全閉としてもよいし、全閉から若干開口した状態としてもよい。
【００６１】
前記実施形態では、空気調和機として空気清浄機について説明したが、前記構成は他の空気調和機である、除湿機、衣類乾燥機、送風機等にも採用可能である。除湿機、衣類乾燥機では、空気清浄部は活性炭等で構成された除湿部が該当する。
【００６２】
前記実施形態では、パネル部材として上パネル８を空気清浄機本体１の前面に設けるようにしたが、パネル部材は、左面、右面、背面あるいは上面に設けるようにしてもよい。また空気清浄機本体１が円筒状であれば、パネル部材はその外周面の一部で構成するようにすればよい。
【００６３】
前記実施形態では、上パネル８を下端側を中心として上端側を回動させるように構成したが、逆に上端側を中心として下端側を回動させる構成とすることも可能である。
【符号の説明】
【００６４】
１…空気清浄機本体
２…空気清浄部
３…送風部
４…制御部
５…フィルタケース
６…リアケース
７…トップカバー
８…上パネル（パネル部材）
９…下パネル
１０…前面側収容部
１１…仕切壁
１２…連通口
１３…底壁
１４…第１凹部
１５…係止凹部
１６…側壁
１７…第２凹部
１８…支持ブロック（支持部材）
１８ａ…係合受部
１８ｂ…弾性舌片
１８ｃ…係合突部
１９…ラック
２０…昇降用モータ（駆動部材）
２１…ピニオン
２２…昇降バー
２３…係合孔
２４…係止フック
２５…空気排出口
２６…操作パネル
２７…上方壁
２７ａ、２７ｂ…湾曲面
２８…下方壁
２８ａ…開口部
２９…第１吸込口
３０…ガイド面部
３１…突条部
３２…ネジ止め孔
３３…ガイド溝（支持部）
３４…第１側面（支持部）
３５…第２側面（支持部）
３６…第１垂直面（支持部）
３８…円弧面（支持部）
３８ａ…切欠き（支持部）
３９…第２垂直面（支持部）
４０…ボス部
４１…ロック片
４２…ホルダ
４３…平面部
４４…ツマミ部
４５…ブロック部
４６…上方側凹部
４７…スプリング
４８…開口部
４９…第１ガイド部（支持部、ガイド部）
５０…第２ガイド部（支持部、ガイド部）
５１…本体側ガイド凸部（支持部、ガイド部）
５２…係止凸部
５３…第２吸込口
５４…第３吸込口
５５…係合突部（係合部）
５５ａ…側壁
５５ｂ…係合孔
５６…ガイド壁
５７…ガイド受部（被支持部）
５８…パネル側ガイド凸部（被支持部、突出部）
５９…第１フィルタ
６０…第２フィルタ
６１…回転用モータ
６２…シロッコファン
６３…ケーシング
【図１】
0006469523.tif 000002
【図２】
0006469523.tif 000003
【図３】
0006469523.tif 000004
【図４Ａ】
0006469523.tif 000005
【図４Ｂ】
0006469523.tif 000006
【図５】
0006469523.tif 000007
【図６】
0006469523.tif 000008
【図７】
0006469523.tif 000009
【図８】
0006469523.tif 000010
【図９】
0006469523.tif 000011
【図１０】
0006469523.tif 000012
【図１１】
0006469523.tif 000013
【図１２】
0006469523.tif 000014